(57)【特許請求の範囲】
【請求項１】
表装カバー１と、表装カバー１の内面に固定される綴り具２とを備えており、
表装カバー１は、表紙３および裏表紙４と、両紙３・４間に設けられる背部５と、背部５と裏表紙４との間に設けられる綴り具２用の取付部６とを備えており、
綴り具２は、一端が取付部６に固定される上下一対の弾性変形可能なとじ込み片７と、とじ込み片７に挿通されて用紙Ｐを取付部６と協同して挟み保持する押え枠８と、押え枠８にスライド自在に案内支持されて、押え枠８と協同してとじ込み片７を挟持固定するクランプ片９とを備えており、
表紙３における背部５との隣接縁の近傍上下に、一対の止着孔２０が形成されており、
とじ込み片７の先端寄りに固定された押え枠８を裏返し状に反転させた状態において、前記止着孔２０に押え枠８の上下端部をカバー内面からカバー外面へ向かって差し込むことにより、押え枠８が表紙３の内面に止着され、
表紙３の内面に押え枠８を止着した状態において、とじ込み片７が取付部６と表紙３との間でアーチ状に湾曲変形するようにしたことを特徴とするフラットファイル。
【請求項２】
止着孔２０が、表紙３に開口した円形孔の周縁壁に補強体２１を固定して形成されている請求項１記載のフラットファイル。  
【発明の詳細な説明】
【０００１】
【発明の属する技術分野】
この発明は、パンチ孔を明けた枚葉紙等を綴り込むためのフラットファイル、なかでも表装カバーに装着される綴り具が、折り曲げ可能なとじ込み片と、とじ込み片に綴り込まれた枚葉紙群を表装カバーに押圧固定する押え枠、および押え枠と協同してとじ込み片をクランプ固定するクランプ片を備えているフラットファイルに関する。
【０００２】
【従来の技術】
この種のフラットファイルは、例えば特開平９−１５６２７４号公報にみることができ、とじ込み片に綴り込んだ用紙群を、とじ込み片に差し通した押え枠で表装カバーに押し付けて固定している。
【０００３】
【発明が解決しようとする課題】
上記のように、用紙の一側縁を押え枠で押圧固定するフラットファイルにおいては、とじ込まれた用紙群をめくって必要個所を開き保持する際に、めくり終った用紙を押え枠に沿って折り込まねばならず、用紙に折り傷が付くのを避けられない。押え枠で固定された部分にある文字や図形等を見ることができないうえ、その紙面内容をコピーする際に、押え枠が邪魔になって紙面全体を写し取ることができない。綴り込んだ用紙のページ数が多いと、見開き状態において押え枠で固定した部分が浮き上がって、コピー機の読み込みガラス面に紙面全体を密着させることが困難となり、該当する用紙をとじ込み片から取り外さない限り、適正な紙面複写を行えないこともある。とじ込まれた用紙群は、自己の弾性で常にとじ込み位置側へ戻ろうとするので、めくり終えた用紙量が多くなると、紙面をめくること自体が困難となるうえ、めくり終えた枚葉紙群を片方の手で押え保持しなければならない不便もある。
【０００４】
上記のような使い勝手の悪さは、リングファイルやパイプファイルを用いることで一掃できるが、これらのファイルは少量の用紙をとじ込んで整理するには不向きで、表装カバーの背部分の厚みが分厚いため、フラットファイルに比べて収納時の占有スペースを多く必要とする不利がある。ファイル全体のコストが高く付く不利も見逃せない。
【０００５】
この発明は、基本的にフラットファイルでありながら必要的にはリングファイルのように、とじ込まれた各用紙を表装カバーの例えば裏表紙の側から表紙の側へめくることができ、従って用紙をめくる際には、押え枠で押圧されていた側縁部まで全開放して、紙面全体を見渡すことができ、紙面内容をコピーするにも好適なフラットファイルを提供することにある。この発明の他の目的は、表装カバーに装着される綴り具を、フラットファイル型の綴り具としても、リングファイル型の綴り具としても使用することができ、従って各ファイルタイプの綴り具の特長を兼備していて、使い勝手の良いフラットファイルを提供することにある。この発明の更に他の目的は、押え枠を紙面から十分に離れた状態でとじ込み片の先端に固定したのち押え枠を反転し、反転状態の押え枠を表装カバーの表紙の内面に係止固定することにより、とじ込み片を逆Ｕ字状に湾曲させるが、このときの押え枠の表紙への取り付けや取り外しが簡便に行え、従って綴り具の使用形態の変更に要する手間を軽減できるフラットファイルを提供することにある。
【０００６】
【課題を解決するための手段】
この発明のフラットファイルは、図２に示すごとく表装カバー１と、表装カバー１の内面に固定される綴り具２とを備えている。綴り具２は、表装カバー１に止め付けられるとじ込み片７と、とじ込み片７に挿通されて用紙Ｐを表装カバー１と協同して挟み保持する押え枠８と、押え枠８にスライド自在に案内支持されて、押え枠８と協同してとじ込み片７を挟持固定するクランプ片９とを備えている。表装カバー１と押え枠８との間には、とじ込み片７の先端寄りに固定されて反転された状態の押え枠８を、カバー内面に止着する枠保持手段を設ける。
【０００７】
その枠保持手段は図１ないし図４に示すごとく表装カバー１に開口した複数個の止着孔２０で形成し、止着孔２０に対して押え枠８の両端をカバー内面からカバー外面へ向かって差し込むことにより、押え枠８を表装カバー１に止着できるようにする。
【０００８】
【０００９】
【００１０】
【００１１】
【００１２】
【作用および発明の効果】
用紙Ｐは、従来のフラットファイルと同様にして綴り具２に綴り込まれ、押え枠８と表装カバー１とによって、隣接する用紙Ｐどうしが密着する状態で挟持固定される。用紙Ｐをめくって、例えば記載内容を相互参照し、あるいは必要個所を見開き状態のままで保持する場合には、クランプ片９を開放位置へスライドさせてとじ込み片７のクランプを解除する。次に、図２に示すように、押え枠８をとじ込み片７にクランプ片９で再固定する。この状態の押え枠８を表裏反転したうえで、その上下端部を表紙３に設けた止着孔２０に止着して、図３に示すごとくとじ込み片７をアーチ状に湾曲させる。つまり、とじ込み片７の中途部をリングファイルのとじ込みリングのように、裏表紙４と表紙３との間でアーチ状に湾曲変形させる。
【００１３】
上記のように押え枠８による拘束状態を解放して、とじ込み片７をアーチ状に湾曲させると、各用紙Ｐはリングファイルと同等の状態で容易にめくることができ、めくり終わった用紙群を手で押える必要もなく見開き状態に維持できる。用紙Ｐをめくる際に折り傷が付くこともない。紙面全体を表出できるので、押え枠８で押圧される領域に文字等が記載されていても、それらを支障なく読み取り、あるいはそこに追記できる。コピー時に紙面全体を洩れなく複写できる。このように本発明によれば、フラットファイルの収納性の良さと、リングファイル等の使い勝手の良さを兼ね備えた、使い勝手の良いフラットファイルが得られる。
【００１４】
図１および図２に示すように押え枠８の両端を表装カバー１に開口した止着孔２０に差し込んで止着する枠保持構造によれば、反転された押え枠８の保持固定を最も簡素な構造で実現できるので、枠保持構造を付加することに伴うコストの増加を低く抑えることができる。綴り具２が組み付けられていない既存のブランク状態の表装カバー１であっても、止着孔２０を追加工することで簡単に枠保持機能を付加できる。なお、とじ込み片７の形成材料によっては、枠保持状態において、止着孔２０にとじ込み片７の変形応力が作用するが、こうした場合の止着孔２０の変形や傷みを防ぐために、止着孔２０に鳩目やプラスチック製の補強リング等の補強体２１を止め付けておくことが好ましい。
【００１５】
【００１６】
【００１７】
【００１８】
【００１９】
【００２０】
【実施例】
図１ないし図４はこの発明に係るフラットファイルの各実施例を示す。図２においてフラットファイルは、紙、またはプラスチックシートで形成される表装カバー１と、表装カバー１の内面に固定される綴り具２とからなる。
【００２１】
表装カバー１は、表紙３および裏表紙４と、両紙３・４間に設けられる背部５と背部５と裏表紙４との間に設けられる綴り具２用の取付部６とを備えている。取付部６は裏表紙４に連続する紙面を、表装カバー１の内面側へ突出するよう折りたたんで形成し、隣接する折りたたみ紙面がステープラーで分離不能に固定されている。
【００２２】
綴り具２は、一端が取付部６に固定される上下一対のとじ込み片７と、とじ込み片７に挿通されて用紙（枚葉紙）Ｐを取付部６と協同して挟み保持する押え枠８と、押え枠８と協同してとじ込み片７を挟持固定するクランプ片９とからなる。とじ込み片７はポリプロピレンに代表される弾性変形可能なプラスチック帯体からなり、その片面に沿って鋸刃断面状のロック爪１０の一群を形成してある。用紙Ｐには一対のとじ込み片７の隣接ピッチに一致するパンチ孔が設けられている。
【００２３】
押え枠８は、基部８ａと、これの外面左右に張り出したガイド部８ｂとを一体に形成した弾性変形可能なプラスチック成形品からなり、その長手方向中途部の上下２個所に、先のとじ込み片７の隣接ピッチと一致する通口１２を形成し、枠上面側にとじ込み片７を受け入れるための溝１３が、各通口１２から上下端にわたって凹み形成してある。溝１３の底面の通口１２寄りには、図４に示すようにロック爪１０と噛み合う数個のロック歯１４が突設してある。通口１２に下面側から通したとじ込み片７を、溝１３に沿って折り曲げ、この折り曲げ部分の外面上部をクランプ片９で押え込むことにより、ロック爪１０とロック歯１４とを互いに噛合させて、とじ込み片７を押え枠８に対して相対移動不能に固定できる。
【００２４】
図３および図４においてクランプ片９は、押え枠８の外面に被さる主壁１５と、主壁１５の左右両側に設けた一対の抱持片１６とを一体に形成したプラスチック成形品からなる。抱持片１６をガイド部８ｂに外嵌することにより、クランプ片９はガイド部８ｂに沿って上下方向に往復スライド可能に案内支持されて、通口１２より枠中央側に位置する解放位置と、通口１２の外面に被さってとじ込み片７をロック歯１４に押し付けるロック位置との間をスライドできる。ガイド部８ｂの裏面には、クランプ片９のスライド限界を規定する図外のストッパーが設けてある。
【００２５】
この発明は、上記のようなフラットファイルにおいて、押え枠８を内外反転した姿勢で表紙３の内面に止着し、とじ込み片７を図３に示すように裏表紙４と表紙３との間でアーチ状に湾曲させて、用紙Ｐの手めくり操作やコピー等を容易化する点に特徴を有する。以下、その枠保持手段の具体例を説明する。
【００２６】
（第１実施例）
図１および図２に示す枠保持手段は、上下一対の止着孔２０で形成し、両孔２０に押え枠８の上下両端を差し込んで止め付けるようにした。詳しくは、表紙３における背部５との隣接縁の近傍上下に円形孔を開口し、その周縁壁に補強体２１を固定して止着孔２０とした。押え枠８を自由に抜き差し可能とするために、止着孔２０の直径値は押え枠８の左右幅寸法よりやや大きめに設定する。上下の止着孔２０の隣接ピッチは、押え枠８の上下長より小さく、かつロック位置へスライド操作した状態における、上方のクランプ片９の上端と下方のクランプ片９の下端との上下間隔より大きく設定する。この第１実施例では、押え枠８の上下端部（約２cm）が止着孔２０を介して表紙３の外表面へ露出するようにした。補強体２１は鳩目や、プラスチック成形品からなるリング体を適用できる。
【００２７】
綴り具２にとじ込んだ用紙群をめくりながら相互参照するような場合には、クランプ片９を解放位置へスライドしてロック爪１０とロック歯１４との噛み合いを解除する。次に押え枠８をとじ込み片７の突端寄りに位置させた状態で、クランプ片９をロック位置へスライドし、ロック爪１０とロック歯１４とを噛合することにより、図２に示すように押え枠８を紙面上方において支持する。この状態の押え枠８を裏返し状に反転したうえで、その枠端を図１に示すように上下の止着孔２０に片方ずつ差し込んで、押え枠８を表紙３の内面に止着する。これにより、とじ込み片７は取付部６と表紙３との間でアーチ状に弾性変形する。従って、手めくり時の用紙Ｐは、とじ込み片７に案内されて裏表紙４側から表紙３側へ、あるいはその逆に完全に移動し、あたかもリングファイルで用紙をめくるように容易にめくり操作できる。めくられた用紙はその位置に止まるので、手で押え保持する必要もなく見開き状態を維持する。
【００２８】
止着孔２０の形状は、多角形や半円形、あるいは馬蹄形などに変更できる。木の葉形や左右横長の溝を止着孔２０とすることができる。円形や多角形などの領域に、十文字状あるいは放射状の切り込みを形成して止着孔２０としてもよく、この場合の止着孔２０は、押え枠８で用紙群を挟持固定する状態において、切り込みで区分された三角形状の舌片で孔開口を塞ぐことができる。
【００２９】
【００３０】
【００３１】
【００３２】
【００３３】
【００３４】
【００３５】
【００３６】
【００３７】
上記以外に、フラットファイルの一部を次のように変更することができる。とじ込み片７はコイルばねやワイヤー、プラスチック製の細い軸体又は管体などの、どの方向へも素直に変形できる部材で形成できる。また、とじ込み片７の全長を既存のフラットファイルにおけるとじ込み片７の長さより大きく設定して、押え枠８を表装カバー１に止着した状態において、とじ込み片７のアーチ状部分の長さを大きく採ることができる。
【図面の簡単な説明】
【図１】  第１実施例のフラットファイルにおける要部の斜視図
【図２】  第１実施例のフラットファイルにおける内部の斜視図
【図３】  第１実施例の押え枠を表紙内面に止着した状態の縦断正面図
【図４】  第１実施例のとじ込み片のクランプ構造を示す一部破断側面図  
【符号の説明】
１  表装カバー
２  綴り具
３  表紙
４  裏表紙
７  とじ込み片
８  押え枠
９  クランプ片
２０  止着孔  
Ｐ  用紙
【図１】
0003650961.tif 000002
【図２】
0003650961.tif 000003
【図３】
0003650961.tif 000004
【図４】
0003650961.tif 000005